(57)【特許請求の範囲】
【請求項１】
ユーザ機器を動作させるための方法であって、前記方法は、
第１の無線通信規格に従って無線通信するように構成された第１の基地局にキャンプしている間に、
第２の無線通信規格に従って無線通信するように構成された第２の基地局を探知するための探索手順を開始することと、
前記第２の基地局の信号強度の第１の測定値は閾値よりも強いと判定することに応じて、前記第２の基地局のための再選択タイマを始動することと、
データ転送の実行の要求を受信することに応じて、少なくとも前記再選択タイマの残りの時間の値を保存し、及び前記第１の基地局を利用して前記第１の無線通信規格に従って前記データ転送を実行することと、
前記データ転送を完了した後に非アクティブプロトコル状態へ遷移することに応じて、前記第２の基地局の前記信号強度の追加の測定を実行し、前記第２の基地局は少なくとも前記追加の測定及び前記保存された残りの時間の値に基づく再選択基準を満たすかどうかを判定することと、
前記第２の基地局は前記再選択基準を満たすと判定することに応じて、前記第２の無線通信規格に従う前記第２の基地局を用いてデータ転送を可能にするために前記第２の基地局を再選択することと、
を含む、方法。
【請求項２】
前記第２の無線通信規格が、前記第１の無線通信規格よりも高いデータレートにおけるパケット交換データの前記転送を処理する、請求項１に記載の方法。
【請求項３】
前記第１の無線通信規格がＵＭＴＳであり、前記第２の無線通信規格がＬＴＥである、請求項１に記載の方法。
【請求項４】
前記再選択基準が、少なくとも前記追加の測定は電力閾値よりも大きいという前記基準を含む、請求項１に記載の方法。
【請求項５】
前記再選択基準が、前記第１の無線通信規格に従う前記データ転送の測定された所要時間は、前記保存された残りの時間の値以上であるという前記基準を含む、請求項１に記載の方法。
【請求項６】
前記第２の基地局は前記再選択基準を満たさないと判定することに応じて、前記第２の無線通信規格に従って無線通信するように構成された第３の基地局を探知するための探索手順を開始することを更に含む、請求項１に記載の方法。
【請求項７】
前記データ転送の実行の要求を受信することは、ＵＭＴＳにおけるデータのための無線ベアラ（ＲＢ）設定の要求を受信することを含む、請求項１に記載の方法。
【請求項８】
前記ユーザ機器が、前記第１の無線通信規格に従う無線伝送及び前記第２の無線通信規格に従う無線伝送の両方のために使用される無線送受信機システムを含む、請求項１に記載の方法。
【請求項９】
第１の無線通信規格に従って無線通信するように構成された第１の基地局にキャンプしているときに動作するユーザ機器（ＵＥ）システムであって，前記ユーザ機器システムは、
第２の無線通信規格に従って無線通信するように構成された第２の基地局を探知するための探索手順を開始する手段と、
前記第２の基地局の信号強度の第１の測定値は閾値よりも強いと判定することに応じて、前記第２の基地局のための再選択タイマを始動する手段と、
データ転送の実行の要求を受信することに応じて、少なくとも前記再選択タイマの残りの時間の値を保存し、及び前記第１の基地局を利用して前記第１の無線通信規格に従って前記データ転送を実行する手段と、
前記データ転送を完了した後に非アクティブプロトコル状態へ遷移することに応じて、前記第２の基地局の前記信号強度の追加の測定を実行し、前記第２の基地局は、少なくとも前記追加の測定及び前記保存された残りの時間の値に基づく再選択基準を満たすかどうかを判定する手段と、
前記第２の基地局は前記再選択基準を満たすと判定することに応じて、前記第２の無線通信規格に従う前記第２の基地局を用いてデータ転送を可能にするために前記第２の基地局を再選択する手段と、
を備える、ユーザ機器システム。
【請求項１０】
前記第２の無線通信規格が、前記第１の無線通信規格よりも高いデータレートにおけるパケット交換データの前記転送を処理する、請求項９に記載のユーザ機器システム。
【請求項１１】
前記再選択基準が、少なくとも前記追加の測定は電力閾値よりも大きいという前記基準を含む、請求項９に記載のユーザ機器システム。
【請求項１２】
前記再選択基準が、前記第１の無線通信規格に従う前記データ転送の測定された所要時間は、前記保存された残りの時間の値以上であるという前記基準を含む、請求項９に記載のユーザ機器システム。
【請求項１３】
前記第２の基地局は前記再選択基準を満たさないと判定することに応じて、前記第２の無線通信規格に従って無線通信するように構成された第３の基地局を探知するための探索手順を開始する手段を更に備える、請求項９に記載のユーザ機器システム。
【請求項１４】
データ転送の実行の要求を前記受信することは、ＵＭＴＳにおけるデータのための無線ベアラ（ＲＢ）設定の要求を受信することを含む、請求項９に記載のユーザ機器システム。
【請求項１５】
ユーザ機器（ＵＥ）デバイスであって、前記ユーザ機器デバイスは、
１つ以上のアンテナを含むアンテナサブシステムであって、前記１つ以上のアンテナは無線通信信号を受信及び送信するように構成される、アンテナサブシステムと、
プロセッサと、
プログラム命令を記憶するメモリと、
を備え、前記プログラム命令は、前記プロセッサに、第１の無線通信規格に従って無線通信するように構成された第１の基地局にキャンプしている間に、
第２の無線通信規格に従って無線通信するように構成された第２の基地局を探知するための探索手順を開始することと、
前記第２の基地局の信号強度の第１の測定値は閾値よりも強いと判定することに応じて、前記第２の基地局のための再選択タイマを始動することと、
データ転送の実行の要求を受信することに応じて、少なくとも前記再選択タイマの残りの時間の値を保存し、及び前記第１の基地局を利用して前記第１の無線通信規格に従って前記データ転送を実行することと、
前記データ転送を完了した後に非アクティブプロトコル状態へ遷移することに応じて、前記第２の基地局の前記信号強度の追加の測定を実行し、前記第２の基地局は、少なくとも前記追加の測定及び前記保存された残りの時間の値に基づく再選択基準を満たすかどうかを判定することと、
前記第２の基地局は前記再選択基準を満たすと判定することに応じて、前記第２の無線通信規格に従う前記第２の基地局を用いてデータ転送を可能にするために前記第２の基地局を再選択することと、
を実行させる、ユーザ機器デバイス。
【請求項１６】
前記第２の無線通信規格が、前記第１の無線通信規格よりも高いデータレートにおけるパケット交換データの前記転送を処理する、請求項１５に記載のユーザ機器デバイス。
【請求項１７】
前記再選択基準が、少なくとも前記追加の測定は電力閾値よりも大きいという前記基準を含む、請求項１５に記載のユーザ機器デバイス。
【請求項１８】
前記再選択基準が、前記第１の無線通信規格に従う前記データ転送の測定された所要時間は、前記保存された残りの時間の値以上であるという前記基準を含む、請求項１５に記載のユーザ機器デバイス。
【請求項１９】
前記プログラム命令が、前記プロセッサに、
前記第２の基地局は前記再選択基準を満たさないと判定することに応じて、前記第２の無線通信規格に従って無線通信するように構成された第３の基地局を探知するための探索手順を開始することを更に実行させる、請求項１５に記載のユーザ機器デバイス。
【請求項２０】
前記ユーザ機器が、前記第１の無線通信規格に従う無線伝送及び前記第２の無線通信規格に従う無線伝送の両方のために使用される無線送受信機システムを含む、請求項１５に記載のユーザ機器デバイス。
【発明の詳細な説明】
【技術分野】
【０００１】
本明細書で説明される諸実施形態は無線通信の分野に関し、より詳細には、１つを超える無線通信規格に従って通信する能力を有する無線装置のためのバックグラウンドデータ転送を高速化するためのシステム及び方法に関する。
【背景技術】
【０００２】
モバイル機器は、ＵＭＴＳ及びＬＴＥなどの無線通信規格に従って無線ネットワークと通信する。ＵＭＴＳは、ＧＳＭ（登録商標）規格に基づくネットワークのための第３世代モバイルセルラーシステムである。（ＵＭＴＳはユニバーサル移動体通信システム（Universal Mobile Telecommunications System）の略語である。）ＬＴＥ（ロングタームエボリューション（Long Term Evolution））は、モバイル機器及びデータ端末のための高速データの無線通信のための規格である。ＵＭＴＳ及び／又はＬＴＥに関する更なる情報については、以下の規格を参照されたい。
【０００３】
３ＧＰＰ  ＴＳ  ３６．１３３−Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒｅｑｕｉｒｅｍｅｎｔｓ  ｆｏｒ  ｓｕｐｐｏｒｔ  ｏｆ  ｒａｄｉｏ  ｒｅｓｏｕｒｃｅ  ｍａｎａｇｅｍｅｎｔ。
【０００４】
３ＧＰＰ  ＴＳ  ３６．３３１−Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ．
３ＧＰＰ  ＴＳ  ２５．３０４−Ｕｓｅｒ  Ｅｑｕｉｐｍｅｎｔ（ＵＥ）ｐｒｏｃｅｄｕｒｅｓ  ｉｎ  ｉｄｌｅ  ｍｏｄｅ  ａｎｄ  ｐｒｏｃｅｄｕｒｅｓ  ｆｏｒ  ｃｅｌｌ  ｒｅｓｅｌｅｃｔｉｏｎ  ｉｎ  ｃｏｎｎｅｃｔｅｄ  ｍｏｄｅ．
【０００５】
現在、ほとんどのネットワークは、高級なデータサービスのためのホットスポットをエミュレートするためにはＬＴＥ用い、任意の回線交換（ＣＳ）ベースのサービスのためにはユーザ機器（ＵＥ）をＵＭＴＳへリダイレクトする。（用語「ユーザ機器」及び「モバイル機器」は本明細書において同義語として用いられる。）ＵＭＴＳネットワークではパケット交換（ＰＳ）データサービスがサポートされているものの、ＵＭＴＳネットワークは、直交符号の数の制約等のために、複数のユーザのためのより高いデータレートを処理することができない。それゆえ、最適なデータ接続性を確実にするために、ＵＥは好ましくは、より高いデータレートを必要とするあらゆるアプリケーションのためにＬＴＥへ移動する（又は移動される）。
【０００６】
ＵＭＴＳ上にキャンプ（camp）している間には、ＵＥは通例、データ活動が存在しない場合には、ネットワークによってページングチャネル（paging channel、ＰＣＨ）又は下りアクセスチャネル（forward accesschannel、ＦＡＣＨ）へ移動され、転送するべきデータが存在する場合には、データチャネル（data channel、ＤＣＨ）へ移動される。ＵＭＴＳ上にキャンプしている間のアクセス状態遷移は、アクセス状態の変更が信号で伝えられるたびに、無線ベアラを再構成すること、及びしたがって、Ｎｏｄｅ  Ｂ及びＵＥのためのより高い制御プレーンデータオーバヘッドを再構成することを伴う。（ＵＭＴＳにおける基地局は「Ｎｏｄｅ  Ｂ」と呼ばれ、ＬＴＥにおいては、それはｅ−ＮｏｄｅＢと呼ばれる。）ＵＭＴＳからＬＴＥへ移動すれば、ＵＥは接続不連続受信（Connected Discontinuous Reception、ＣＤＲＸ）を利用して電力を節約することができるとともに、データが利用可能である時には常に多数のＰＤＳＣＨチャネル上で高速データ転送を実行することができるため、下りリンク及び上りリンクの両方のために有用である。（ＰＤＳＣＨは物理ダウンリンク共有チャネル（Physical Downlink Shared Channel）の略語である。）
【０００７】
ＦＡＣＨ、ＰＣＨ及びアイドル時のＲＡＴ間ＬＴＥ再選択は、ＵＭＴＳにおけるＵＥがＬＴＥを再選択することを可能にする。（３ＧＰＰ  ＴＳ  ２５．３０４参照。ＲＡＴは無線アクセス技術（Radio Access Technology）の略語である。）ＬＴＥセルの高優先度セル再選択はいずれも、Ｔ＿ｍｅａｓｕｒｅＵＴＲＡ、Ｔ＿ｈｉｇｈｅｒ＿ｐｒｉｏｒｉｔｙ＿ｓｅａｒｃｈのようなタイマ、及び構成された層の数、等によって統御されることになる。３ＧＰＰ  ＴＳ  ３６．１３３に記述されているように、ＵＥは、少なくともＴ＿ｈｉｇｈｅｒ＿ｐｒｉｏｒｉｔｙ＿ｓｅａｒｃｈ＝（６０＊Ｎｌａｙｅｒｓ）秒毎により優先度の高い全ての層を探索することになっている。ここで、Ｎｌａｙｅｒｓは、構成されたより優先度の高いＥ−ＵＴＲＡ、ＵＴＲＡ  ＦＤＤ、ＵＴＲＡ  ＴＤＤキャリア周波数の総数である。ＵＥは、少なくともＴ＿ｍｅａｓｕｒｅＵＴＲＡ秒毎に優先度の高いセルを測定することを必要とされてもよい。
【０００８】
ほとんどの場合、これらのパラメータは、ＵＥは、アクセス状態遷移がない状態でＬＴＥへ切り替わるのに約９〜１２秒を要するように構成される。また、Ｔ＿ｈｉｇｈ  ｐｒｉｏｒｉｔｙ  ｓｅａｒｃｈ、ＵＥの探索測定、及びＴ−ｒｅｓｅｌｅｃｔｉｏｎタイマは、アクセス状態遷移が起きるたびにリセットされる。これは、アクセス状態遷移の合間にＬＴＥを再び再選択する際の余計な遅延を意味する。（例えば、図１におけるブロック１５及び１６の間の境界においてＤＣＨからＰＣＨへのアクセス状態遷移が起きる。）したがって、アプリケーションから５〜１０秒以内に繰り返し生成される周期的又は間欠的バックグラウンドデータが存在する場合には、上述の条件のためにＵＥはＵＭＴＳを再選択することができなくなる場合があり、その結果、データ転送の終了になおいっそうの遅延が生じることになる。
【０００９】
図１は、ＵＥがＵＭＴＳ内で立ち往生している様子の一例を示す。ＵＭＴＳ基地局、すなわち、基地局Ａの受信信号コード電力（received signal code power、ＲＳＣＰ）は−１００ｄＢｍにおいて比較的一定であると仮定される。（ＰＳＣはプライマリスクランブリングコード（primary scrambling code）を指す。）ＬＴＥ基地局、すなわち、ＬＴＥ基地局Ｂの参照信号受信電力ＲＳＲＰは、−１１０ｄＢｍから開始し、その後、−９０ｄＢｍへ増大する。（増大は、ユーザ機器が良好なＬＴＥカバレッジの領域内に入るシナリオを反映する。増大は瞬間的なステップであるように示されているが、より典型的には、遷移は滑らかであってもよい。）図１では、文字Ａ及びＢは技術的な意味を持たず、単に２つの基地局を区別するためだけに用いられている。
【００１０】
最初に、ＵＥは、１０に示されるように、ＵＭＴＳ−ＰＣＨ状態にある。次に、ＵＥはＬＴＥ探知探索１１を開始する。ＬＴＥ探知探索は、ネットワークがＵＥを、優先度の高いＬＴＥセルを測定するように構成したために開始されてもよい。ＬＴＥ探知探索は、例えば、３ＧＰＰ  ＴＳ  ３６．１３３規格に記載されているように、ＬＴＥ基地局Ｂの存在を探知する。
【００１１】
ＬＴＥ基地局Ｂの存在を探知することに応じて、ＵＥは基地局Ｂの電力レベルの測定１２を行う。測定１２は、ＬＴＥ基地局Ｂの電力の第１の測定を表すので、「ＬＴＥ  Ｍｅａｓ  １」と標識される。ＵＥは、ＬＴＥ基地局Ｂは、信頼できるデータ通信をサポートするために十分に強いかどうかを判定するために、測定１２を電力閾値と比較する。図示の例については、測定１２は十分に強くないと仮定される。一定量の時間が経過した後に（例えば、ある数のＤＲＸサイクルの後に）、ＵＥはＬＴＥ基地局Ｂの電力レベルの第２の測定、すなわち、測定１３を行う。第１の測定１２以降の時間内にＬＴＥ基地局の電力レベルは（図示の例では−１１０ｄＢｍから−９０ｄＢｍへ）増大したため、第２の測定１３は電力閾値テストに合格することになり、ＬＴＥ基地局ＢのためのＴ＿ｒｅｓｅｌｅｃｔｉｏｎタイマ１４を始動させることができる。ＵＭＴＳ規格は、ＬＴＥ基地局を再選択する前に一定の最小量の時間が経過することを必要とする。Ｔ＿ｒｅｓｅｌｅｃｔｉｏｎタイマは、その最小時間条件を実施するために用いられる。（Ｔ＿ｒｅｓｅｌｅｃｔｉｏｎタイマは、ＵＥが異なる基地局の間を行ったり来たりするために生じるネットワーク上の余計な負荷並びにＵＥ上の電力を阻止するために設定される。このタイマがなければ、ＵＥは最後にはいつも再選択／探索状態になり、サービスのために実際にネットワークに登録することにならなくなり得るであろう。そのため、ＵＥは待機し、それが再選択しようとしている他の基地局が現在の基地局よりも一定期間強いことを確認し、その後に、他の基地局へ移動することになる。）Ｔ＿ｒｅｓｅｌｅｃｔｉｏｎタイマが始動した後に少量のデータが（例えば、ＵＥ上で走っているアプリケーションから）到来した場合には、ＵＥはＴ  ｒｅｓｅｌｅｃｔｉｏｎタイマを棄却し、（ブロック１５に指示される通りの）データチャネルＤＣＨへ移動し、データの転送を完了し、ＵＭＴＳ−ＰＣＨ状態１６へ遷移して戻ることになる。そのため、Ｔ−ｒｅｓｅｌｅｃｔｉｏｎタイマの値及びＬＴＥ測定は棄却されることになり、ＵＥはＬＴＥ基地局Ｂを再選択しない。
【００１２】
ＵＭＴＳ規格はまた、ＬＴＥ基地局の２つの連続する測定が、そのＬＴＥ基地局の再選択を可能にする前に、十分に強いことを必要とする。
【００１３】
ＵＭＴＳ−ＰＣＨ状態１６から、ＵＥはＬＴＥ探知探索１７を開始する。（ＬＴＥ探知探索１７はＬＴＥ探知探索１１と同様である。）以前に取得されたＬＴＥ測定１２及び１３並びにＴ＿ｒｅｓｅｌｅｃｔｉｏｎタイマ値は棄却されたので、ＬＴＥ探知探索１７は無知の状態から動作する。ＬＴＥ基地局Ｂの電力レベルは高いままであるため（すなわち、−９０ｄＢｍのままである）、ＬＴＥ探知探索１７はＬＴＥ基地局Ｂの存在を探知することになる。次に、ＵＥはＬＴＥ基地局Ｂの電力レベルの測定１８を生成することになる。測定１８は、（以前の測定は忘却されたため）それは第１の測定と解釈されるので、「ＬＴＥ  Ｍｅａｓ  １」と標識される。一定量の時間待機した後に、ＵＥはＬＴＥ基地局Ｂの第２の測定１９を取得し、ＬＴＥ基地局ＢのためのＴ＿ｒｅｓｅｌｅｃｔｉｏｎタイマ２０を始動する。再び、Ｔ−ｒｅｓｅｌｅｃｔｉｏｎタイマ２０の始動後に少量のデータが到来し、ＵＥは、ブロック２１に示されるように、データを転送するためにＤＣＨ状態へ移動する。ＵＥがＤＣＨへの移動を開始すると、Ｔ＿ｒｅｓｅｌｅｃｔｉｏｎタイマは直ちに棄却される。ＵＥはデータの転送を完了し、（２２に指示される通りの）ＵＭＴＳ−ＰＣＨ状態へ再び戻り、ＬＴＥ基地局Ｂを再選択しそこなう。そのため、伝送されるデータのパターンがバースト的である場合には、再選択条件が満たされるのに長い時間がかかってしまう場合がある。
【００１４】
したがって、ＵＥがＵＭＴＳセルからＬＴＥセルをより効率的な仕方で再選択することを可能にするシステム及び方法の必要性が存在する。より一般的には、ＵＥが、第１の通信規格を用いる基地局から、第１の通信規格よりも高いデータレートにおけるパケット交換データ転送を必要とする第２の通信規格を用いる第２の基地局を再選択することを可能にするシステム及び方法の必要性が存在する。
【発明の概要】
【００１５】
とりわけ、本開示は、第１の無線通信規格に準拠する第１のセルから、第２の無線通信規格に準拠する第２のセルへの効率的な再選択を可能にするべくユーザ機器を動作させるための種々の方法を記載する。第１の無線通信規格に従って無線通信するように構成された第１の基地局上にキャンプしている間に、ユーザ機器は以下の動作を実行してもよい。
【００１６】
ユーザ機器は、第２の無線通信規格に従って無線通信するように構成された第２の基地局を探知するための探索手順を開始してもよい。
【００１７】
ユーザ機器は、第２の基地局の信号強度の現在の測定値は閾値よりも強いと判定することに応じて、第２の基地局のための再選択タイマを始動してもよい。
【００１８】
データ転送を実行せよとの要求を受信することに応じて、ユーザ機器は、少なくとも再選択タイマの残りの時間の値を保存し、第１の無線通信規格に従ってデータ転送を実行してもよい。
【００１９】
データ転送を完了した後に非アクティブプロトコル状態へ遷移することに応じて、ユーザ機器は第２の基地局の信号強度の追加の測定を実行し、第２の基地局は、追加の測定及び保存された残りの時間の値に少なくとも基づく１つ以上の再選択基準を満たすかどうかを判定してもよい。
【００２０】
第２の基地局は再選択基準のうちの１つ以上を満たすと判定することに応じて、ユーザ機器は、第２の無線通信規格に従う第２の基地局を利用するデータ転送を可能にするために第２の基地局を再選択してもよい。
【図面の簡単な説明】
【００２１】
好適な実施形態の次の詳細な説明を、次の図面と共に考慮すれば、本実施形態のより良い理解を得ることができる。
【図１】伝送するべき少量のデータの間欠的到来のためにモバイル機器がＵＭＴＳセル上で立ち往生し、ＬＴＥセルを再選択することができない様子の一例を示す図である。
【図２】１つの可能な実装形態に係る無線通信システムの一例を示す図である。
【図３】１つの可能な実装形態に係るユーザ機器１０６と通信する基地局１０２を示す図である。
【図４】１つの可能な実装形態に係る、ユーザ機器デバイス１０６のブロック図の一例である。
【図５】第１の無線通信規格に準拠する第１のセルから、第２の無線通信規格に準拠する第２のセルを再選択するための方法の一例を示す図である。
【図６】図５の方法の一例である図である。
【図７】本明細書に記載されている種々の方法の実施形態のうちのいずれかを実行するように構成されるコンピュータシステム７００の１つの具体例を示す図である。  本明細書中に記載される実施形態は種々の変更及び代替形態を受けるが、その特定の実施形態が例として図面に示され、本明細書において詳細に説明される。しかし、図面及びそれらに対する詳細な説明は、本実施形態を、開示されている特定の形態に限定することを意図されているのではなく、逆にその意図は、添付の請求項によって定義されている通りの本実施形態の趣旨及び範囲内に入る全ての変更、均等物及び代替物を範囲に含むことを理解されたい。
【発明を実施するための形態】
【００２２】
略語
本仮特許出願においては、以下の略語が用いられている。
【００２３】
３ＧＰＰ：第３世代パートナーシッププロジェクト（3rd Generation Partnership Project）
ＣＤＭＡ：符号分割多元接続（Code Division Multiple Access）
ＣＤＲＸ：接続不連続受信（Connected Discontinuous Reception）
ＣＳ：回線交換（Circuit Switched）
ＤＣＨ：データチャネル（Data Channel）
ＥＤＧＥ：ＧＳＭエボリューションのためのエンハンストデータレート（Enhanced Data rates for GSM Evolution）
ＧＮＳＳ：全地球的航法衛星システム（Global Navigation Satellite System）
ＧＰＳ：全地球測位システム（Global Positioning System）
ＧＳＭ：移動通信用グローバルシステム（Global System for Mobile Communications）
ＨＳＰＡ：高速パケットアクセス（High Speed Packet Access）
ＬＴＥ：ロングタームエボリューション（Long Term Evolution）
ＰＣＨ：ページングチャネル（Paging Channel）
ＰＣＩ：物理セルインジケータ（Physical Cell Indicator）
ＰＳ：パケット交換（Packet Switched）
ＰＳＣ：プライマリスクランブリングコード（Primary Scrambling Code）
ＲＡＴ：無線アクセス技術（Radio Access Technology）
ＲＳＣＰ：受信信号コード電力（Received Signal Code Power）
ＲＳＲＰ：参照信号受信電力（Reference Signal ReceivedPower）
ＵＥ：ユーザ機器（User Equipment）
ＵＭＴＳ：ユニバーサル移動体通信システム（Universal Mobile Telecommunications System）
ＷｉＭＡＸ：ワールドワイド・インターオペラビリティ・フォー・マイクロウェーブ・アクセス（Worldwide Interoperability for Microwave Access）
ＷＬＬ：無線ローカルループ（Wireless Local Loop）
専門用語
以下は、本出願において用いられている用語の用語集である。
【００２４】
メモリ媒体−メモリ媒体とは、情報の記憶と検索のために構成される永続的媒体である。メモリ媒体の例としては以下のものが挙げられる：（さまざまな種類のスタティックＲＡＭ及びさまざまな種類のダイナミックＲＡＭ、並びにさまざまな種類のＰＲＯＭ、ＥＰＲＯＭ、ＥＥＰＲＯＭ及びフラッシュメモリを含む）ＲＡＭ及びＲＯＭなどのさまざまな種類の半導体ベースのメモリ、磁気ディスク、テープ、ストリップ及びフィルムなどのさまざまな種類の磁気媒体、ＣＤ−ＲＯＭ、ＤＶＤ−ＲＯＭ及びホログラフィック媒体などのさまざまな種類の光学的媒体、電荷及び／若しくは多種多様の他の物理量のうちのいずれかの記憶に基づく種々の媒体、種々のリソグラフィ技術を用いて製作される媒体、等。用語「メモリ媒体」は、その意味の範囲内に、所与のメモリ媒体は、異なる場所、例えば、システム内の異なるチップ上、又はネットワーク内の異なるコンピュータ上に存在する２つ以上のメモリ媒体の組み合わせであり得る可能性を含む。メモリ媒体は通例、コンピュータ可読であり、例えば、コンピュータによって読み取られる能力を有する。
【００２５】
コンピュータ可読メモリ媒体は、プログラム命令及び／又はデータを記憶するように構成されてもよく、プログラム命令は、コンピュータシステムによって実行されると、コンピュータシステムに、本方法を、例えば、本明細書に記載された方法の実施形態のうちのいずれか、又は、本明細書に記載された方法の実施形態の任意の組合せ、又は、本明細書に記載された方法の実施形態のうちのいずれかの任意のサブセット、又は、そのようなサブセットの任意の組合せを実行させる。
【００２６】
キャリア媒体−上述したようなメモリ媒体、並びにバス、ネットワーク等の物理的伝送媒体、及び／又は電気的信号、電磁気的信号、又はデジタル信号等の信号を伝達するその他の物理的伝送媒体。
【００２７】
プログラム可能ハードウェア要素−プログラム可能インターコネクトを介して接続される複数のプログラム可能機能ブロックを含む種々のハードウェアデバイスを含む。例としては、ＦＰＧＡ（Ｆｉｅｌｄ  Ｐｒｏｇｒａｍｍａｂｌｅ  Ｇａｔｅ  Ａｒｒａｙ、フィールドプログラマブルゲートアレイ）、ＰＬＤ（Ｐｒｏｇｒａｍｍａｂｌｅ  Ｌｏｇｉｃ  Ｄｅｖｉｃｅ、プログラム可能論理デバイス）、ＦＰＯＡ（Ｆｉｅｌｄ  Ｐｒｏｇｒａｍｍａｂｌｅ  Ｏｂｊｅｃｔ  Ａｒｒａｙ、フィールドプログラマブルオブジェクトアレイ）、及びＣＰＬＤ（Ｃｏｍｐｌｅｘ  ＰＬＤ、複合ＰＬＤ）が挙げられる。プログラム可能機能ブロックは、細かい粒度のもの（組み合わせ論理又はルックアップテーブル）から粗い粒度のもの（算術論理演算装置又はプロセッサコア）にまで及んでもよい。プログラム可能なハードウェア要素は「再構成可能論理」と呼ぶこともできる。
【００２８】
コンピュータシステム−パーソナルコンピュータシステム（ＰＣ）、メインフレームコンピュータシステム、ワークステーション、ネットワーク装置、インターネット装置、無線携帯情報端末（ＰＤＡ）、パーソナル通信デバイス、スマートフォン、テレビシステム、グリッドコンピューティングシステム、ユーザ機器デバイス、又はその他のデバイス、あるいはデバイスの組み合わせを含む、さまざまな種類のコンピューティング又は処理システムのうちのいずれか。一般的に、用語「コンピュータシステム」は、メモリ媒体内に記憶された命令を実行する少なくとも１つのプロセッサを有するあらゆるデバイス（又はデバイスの組み合わせ）を包含するように広義に定義することができる。
【００２９】
ユーザ機器（ＵＥ）（又は「ＵＥデバイス」）−移動式又は携帯式であり、無線通信を実行するさまざまな種類のコンピュータシステムデバイスのうちのいずれか。ＵＥデバイスの例としては、携帯電話又はスマートフォン（例えば、ｉＰｈｏｎｅ（商標）、Ａｎｄｒｏｉｄ（商標）ベースの電話）、ポータブルゲーム機器（例えば、Ｎｉｎｔｅｎｄｏ  ＤＳ（商標）、ＰｌａｙＳｔａｔｉｏｎ  Ｐｏｒｔａｂｌｅ（商標）、Ｇａｍｅｂｏｙ  Ａｄｖａｎｃｅ（商標）、ｉＰｈｏｎｅ（商標））、ラップトップ、ＰＤＡ、ポータブルインターネット機器、音楽プレーヤ、データ記憶デバイス、又は他のハンドヘルドデバイスが挙げられる。一般に、用語「ＵＥ」又は「ＵＥデバイス」は、ユーザによって容易に持ち運ばれ、無線通信が可能な、あらゆる電子的、コンピューティング及び／又は遠隔通信デバイス（又はデバイスの組み合わせ）を包含するように幅広く定義され得る。
【００３０】
自動的に−アクション又は動作を直接指定又は実行するユーザ入力を用いることなく、コンピュータシステム（例えば、コンピュータシステムによって実行されるソフトウェア）又はデバイス（例えば、電気回路、プログラム可能なハードウェア要素、ＡＳＩＣ等）によって実行されるアクション又は動作に言及する。それゆえ、用語「自動的に」は、動作を直接実行するためにユーザが入力を提供する、ユーザによって手作業で実行又は指定される操作とは対照的である。自動手順は、ユーザによって提供される入力によって開始されてもよいが、「自動的に」実行される後続のアクションはユーザによって指定されない、すなわち、実行するべきそれぞれのアクションをユーザが指定する「手作業」では実行されない。例えば、ユーザが、それぞれのフィールドを選択し、（例えば、情報を打ち込むこと、チェックボックスやラジオ選択を選択すること等によって）情報を指定する入力を提供することによって電子フォームに記入することは、たとえ、コンピュータシステムがユーザアクションに応じてフォームを更新しなければならないとはいえ、手作業でフォームに記入することである。コンピュータシステム（例えば、コンピュータシステム上で実行するソフトウェア）がフォームのフィールドを分析し、フィールドへの答えを指定するユーザ入力を全く用いずにフォームに書き込む場合、フォームはコンピュータシステムによって自動的に記入され得る。上述のように、ユーザはフォームの自動記入を呼び出してもよいが、フォームの実際の記入には関わらない（例えば、ユーザはフィールドへの答えを手作業で指定せず、代わりにそれらは自動的に埋められる）。
【００３１】
図２：通信システム
図２は、本明細書に記載されている方法のうちのいずれかを実行するために用いられてもよい無線通信システムの一例を示す。図示されるように、無線通信システムはネットワーク１００−１〜１００−Ｎ及び基地局１０２−１〜１０２−Ｎを含む。ただし、Ｎは１よりも大きい。基地局１０２−１〜１０２−Ｎはそれぞれ、ネットワーク１００−１〜１００−Ｎのうちの対応するものに結合する。更に、基地局はそれぞれ、１つ以上の無線通信規格、例えば、ＧＳＭ、ＧＰＲＳ、ＵＭＴＳ、ＬＴＥ、ＷＬＬ、ＷＡＮ、ＷｉＦｉ、ＷｉＭＡＸ、ＣＤＭＡ２０００、Ｂｌｕｅｔｏｏｔｈ（登録商標）、ＧＮＳＳ、ＧＰＳ等などの規格に従ってモバイル機器と無線通信するように構成される。例えば、基地局１０２−１はＵＭＴＳ規格に従って通信するように構成されてもよく、基地局１０２−２はＬＴＥ規格に従って通信するように構成されてもよい。
【００３２】
基地局１０２−１〜１０２−Ｎは、１つ以上のセルラ方式通信規格によって連続的な（又はほぼ連続的な）重複するサービスをＵＥ１０６に提供するように空間的に分布してもよい。それぞれの基地局は、それがモバイル機器と無線通信する、関連付けられた空間領域、すなわち、セルを有する。
【００３３】
モバイル機器１０６は、ユーザ機器（ＵＥ）１０６とも呼ばれ、２つ以上の通信規格、例えば、ＧＳＭ、ＵＭＴＳ、ＬＴＥ、ＷＬＬ、ＷＡＮ、ＷｉＦｉ、ＷｉＭＡＸ、ＣＤＭＡ２０００、Ｂｌｕｅｔｏｏｔｈ、ＧＮＳＳ、ＧＰＳ等などの通信規格を用いて無線通信するように構成される。例えば、モバイル機器１０６は、ＵＭＴＳ規格及びＬＴＥ規格の両方を用いて無線通信するように構成されてもよい。ＵＥ１０６はその時々において基地局のうちの異なるものと通信してもよい。例えば、ＵＥ１０６は最初に基地局１０２−１と通信してもよく、次に、基地局１０２−２により近づいた後には、基地局１０２−２との通信を開始してもよい。ＵＥ１０６は、どの基地局と通信するべきかに関するインテリジェントな決定を行うために、異なる基地局の信号強度を常時測定してもよい。更に、ＵＥ１０６は通信目的によって異なる基地局を利用してもよい。例えば、回線交換データこのような音声データ又はビデオデータを通信するためには、ＵＥは、このようなデータを処理するように構成された第１の基地局、例えば、ＵＭＴＳ基地局と通信してもよい。しかし、パケット交換データが利用可能になると、ＵＥは基地局のうちの別のもの、例えば、ＬＴＥ基地局を利用してもよい。ＬＴＥ基地局は、ＵＭＴＳ基地局よりも高いレートでパケット交換データを処理することができる。
【００３４】
基地局１０２−１〜１０２−Ｎはそれぞれ、モバイル機器と無線通信するためのハードウェアを含む。例えば、それぞれの基地局は、無線送受信機（若しくは無線送受信機のセット）並びに１つ以上のアンテナを含んでもよい。加えて、基地局は、モバイル機器がネットワーク１００−１〜１００−Ｎと通信することを可能にする。ネットワークはＰＳＴＮ及び／又はインターネットに結合してもよい。そのため、基地局及びネットワークは、モバイル機器が電話で会話を行うこと及び／又はインターネットにアクセスすることを可能にする。ネットワーク１００−１〜１００−Ｎは必ずしも別個のネットワークではない。例えば、それらは１つ以上の無線通信プロバイダ又はネットワークオペレータによって管制されてもよい。
【００３５】
いくつかの実装形態では、ＵＥ１０６は、回線交換通信及びパケット交換通信を処理する第１のセルラ方式通信規格（ＵＭＴＳなど）に従う基地局と通信するように構成され、かつより高いデータレートでパケット交換データを処理する第２のセルラ方式通信規格（ＬＴＥなど）に従う他の基地局と通信するように構成されてもよい。
【００３６】
図３は、基地局１０２（例えば、上述の基地局１０２−１〜１０２−Ｎのうちの１つ）と通信するユーザ機器１０６の一例を示す。ＵＥ１０６は、携帯電話、セルフォン、ハンドヘルドデバイス、タブレットコンピュータ、携帯情報端末、メディアプレーヤ、又は実質上あらゆる種類の無線装置などの、無線ネットワーク接続性を有するデバイスであってよい。
【００３７】
ＵＥ１０６は、メモリ内に記憶されたプログラム命令を実行するように構成されたプロセッサを含んでもよい。ＵＥは、このような記憶された命令を実行することによって、本明細書に記載された方法の実施形態のうちのいずれかを実行することができる。いくつかの実装形態では、ＵＥは、本明細書に記載されている方法の実施形態のうちのいずれか、又は本明細書に記載されている方法の実施形態のうちのいずれか任意の部分を実行するように構成されたＦＰＧＡ（フィールドプログラマブルゲートアレイ）等のプログラム可能ハードウェア要素を含んでもよい。いくつかの実装形態では、ＵＥは、本明細書に記載されている方法の実施形態のうちのいずれか、又は本明細書に記載されている方法の実施形態のうちのいずれかの任意の部分を実行するように構成された専用のデジタル回路機構（ＡＳＩＣなど）を含んでもよい。
【００３８】
ＵＥ１０６は、１つ以上の無線通信規格を用いて通信するための１つ以上のアンテナを含んでもよい。いくつかの実施形態では、ＵＥ１０６は、複数の無線通信規格間の受信及び／又は送信チェーンの１つ以上のパーツを共有し得る。例えば、ＵＥ１０６は、単一の共有無線機を用いてＵＭＴＳ又はＬＴＥのどちらかを用いて通信するように構成されてもよいであろう。共有無線機は、無線通信を実行するために、単一のアンテナを含んでもよく、又は（例えば、ＭＩＭＯ動作を可能にする）複数のアンテナを含んでもよい。他の実施形態では、ＵＥ１０６は、無線通信規格であって、その規格を用いてＵＥ１０６が通信するように構成された、無線通信規格毎に別個の伝送及び／又は受信チェーン（例えば、別々のアンテナ及び他の無線コンポーネントを含む）を含んでもよい。更に他の実施形態では、ＵＥ１０６は、複数の無線通信規格の間で共有される１つ以上の無線機、及び単一の無線通信規格によってもっぱら用いられる１つ以上の無線機を含んでもよい。例えば、１組の実施形態において、ＵＥ１０６はＬＴＥ又はＵＭＴＳのいずれかを用いて通信するための共有無線機、並びにＷｉ−Ｆｉ及びＢｌｕｅｔｏｏｔｈのそれぞれを用いて通信するための別々の無線機を含み得る。多種多様の他の構成も同様に可能である。
【００３９】
図４−ユーザ機器１０６のブロック図の例
図４は、１つの可能な実装形態に係るＵＥ１０６のブロック図を示す。図示されるように、ＵＥ１０６は、種々の目的のための部分を含む、システムオンチップ（ＳＯＣ）３００を含んでもよい。例えば、図示されるように、ＳＯＣ３００は、ＵＥ１０６のためのプログラム命令を実行するプロセッサ（単数又は複数）３０２と、図形処理を実行し、ディスプレイ３４０に表示信号を提供する表示回路機構３０４とを含んでもよい。プロセッサ（単数又は複数）３０２はメモリ管理ユニット（memory management unit、ＭＭＵ）３４０に結合されてもよい。ＭＭＵ３４０は、プロセッサ（単数又は複数）３０２からアドレスを受信し、それらのアドレスを、メモリ（例えば、メモリ３０６、リードオンリーメモリ（ＲＯＭ）３５０、ＮＡＮＤフラッシュメモリ３１０）内の位置に変換し、並びに／又は表示回路３０４、無線機３３０、コネクタＩ／Ｆ３２０、及び／若しくはディスプレイ３４０等の、その他の回路又はデバイスに変換するように構成されてもよい。ＭＭＵ３４０は、メモリ保護及びページテーブル変換又はセットアップを実行するように構成することができる。いくつかの実装形態では、ＭＭＵ３４０はプロセッサ（単数又は複数）３０２の一部として含まれてもよい。
【００４０】
図示の実施形態では、ＲＯＭ３５０は、起動又は初期化時にプロセッサ（複数可）３０２によって実行され得るブートローダを含んでもよい。更に、ＳＯＣ３００はＵＥ１０６のさまざまな他の回路に結合されてもよい。例えば、ＵＥ１０６は、（例えば、ＮＡＮＤフラッシュ３１０を含む）さまざまな種類のメモリ、（例えば、外部コンピュータシステムに結合するための）コネクタインタフェース３２０、ディスプレイ３４０、及び（例えば、ＵＭＴＳ、ＬＴＥ、ＣＤＭＡ２０００、Ｂｌｕｅｔｏｏｔｈ、ＷｉＦｉ、ＧＮＳＳ、ＧＰＳ等などの通信規格による通信のための）無線通信回路機構を含んでもよい。
【００４１】
ＵＥデバイス１０６は、基地局及び／又は他のデバイスとの無線通信を実行するために、少なくとも１つのアンテナ、及びいくつかの実装形態では、複数のアンテナを含んでもよい。例えば、ＵＥデバイス１０６は、アンテナ３３５を使用して無線通信を実行することができる。上述の通り、いくつかの実施形態では、ＵＥは複数の無線通信規格を用いて無線通信するように構成されてもよい。
【００４２】
本明細書に記載されているように、ＵＥ１０６は、本明細書にさまざまに記載されているように１つのセルから別のものを再選択するための方法を実行するためのハードウェア及びソフトウェアコンポーネントを含んでもよい。図５及び付随の説明はこのような方法の１つに関する。
【００４３】
ＵＥデバイス１０６のプロセッサ３０２は、例えば、メモリ媒体（例えば、不揮発性コンピュータ可読メモリ媒体）に記憶されたプログラム命令を実行することによって、本明細書に記載される方法の一部又は全部を実行するように構成され得る。他の実施形態では、プロセッサ３０２は、ＦＰＧＡ（フィールドプログラマブルゲートアレイ）等のプログラム可能なハードウェア要素として、又はＡＳＩＣ（特定用途向け集積回路）として構成され得る。
【００４４】
図５−セル再選択を効率的に実行するための方法
ユーザ機器（例えば、ユーザ機器１０６）を動作させるための方法５００は、図５に示されるように実行されてもよい。（更に、方法５００は、上述の特徴、要素及び実施形態の任意のサブセットを含んでもよい。）方法５００は、１つのセルから別のものを効率的に再選択するために用いることができる。特に、方法５００は、第１の無線通信規格に従う無線通信のために構成された第１のセルから、第２の無線通信規格に従う無線通信のために構成された第２のセルを再選択するために用いることができる。第２の無線通信規格は、第１の無線通信規格よりも高いデータレートにおける（ＵＥと基地局との間の）パケット交換データの転送を必要とすることができるため、このような第２のセルが利用可能である時には、それへ切り替わることが有利となる場合がある。第２のセルは、第２の無線通信規格に従う通信のために構成されているため、それはそのより高いデータレートにおけるパケット交換データの転送をサポートすることになる。
【００４５】
５０５に指示されているように、第１の無線通信規格に従って無線通信するように構成された第１の基地局上にキャンプしている間に、ユーザ機器（例えば、ユーザ機器のプロセッサ）は、以下に説明されているように、動作５１０〜５３０を含む一連の動作を実行してもよい。第１の無線通信規格はＵＭＴＳ規格であってもよい。しかし、他の実装形態では、第１の無線通信規格は何らかの他の規格、例えば、ＧＳＭ又はＣＤＭＡであってもよい。
【００４６】
５１０では、ユーザ機器（ＵＥ）は、第２の無線通信規格に従って無線通信するように構成された第２の基地局を探知するための探索手順を開始してもよい。探索手順は、例えば、周波数のうちの１つにおいて相当な信号エネルギー、すなわち、基地局伝送によるエネルギーを探知するために、ＵＥの無線周波数受信機の局部発振器信号を周波数帯域（単数又は複数）内の連続する周波数に同調させることによって、第２の無線通信規格に関連付けられた周波数帯域（単数又は複数）をステッピング又はスキャンすることを含んでもよい。第２の基地局によって伝送された信号を取得することに応じて、ＵＥは、第２の基地局の物理セルアイデンティティを特定するために、信号を復調する。いくつかの実施形態では、復調は、例えば、ＤＳＰチップ内及び／又はプログラム可能なハードウェア要素内の、専用の信号処理回路機構によって実行されてもよい。
【００４７】
ユーザ機器は第２の基地局の信号強度の測定を行うように構成されてもよい。測定は、第２の基地局から受信された信号のデジタル化されたサンプルに基づいてもよい。測定は、例えば、受信信号強度及び／又は参照信号受信電力の測定であってもよい。受信信号データからこのような測定値を計算するための機構は無線通信の技術分野において周知である。
【００４８】
５１５では、ユーザ機器は、第２の基地局の信号強度の現在の測定値は閾値よりも強いと判定することに応じて、第２の基地局のための再選択タイマ（例えば、上述した通りのＴ＿ｒｅｓｅｌｅｃｔｉｏｎタイマ）を始動してもよい。閾値はネットワークによって１つ以上のシステム情報メッセージを通じて信号で伝えられてもよい。
【００４９】
５２０に指示されるように、データ転送を実行せよとの要求を受信すること（又はデータ転送を指示する信号を受信すること）に応じて、ユーザ機器は、再選択タイマの残りの時間の値を少なくとも含む情報を保存し、第１の基地局を利用して第１の無線通信規格に従ってデータ転送を実行してもよい。情報はユーザ機器のメモリ内に保存されてもよい。要求は、ＵＥにデータのための無線ベアラを割り当てる基地局からの無線ベアラ（ＲＢ）設定の要求又は再構成要求であってもよい（又はそれを含んでもよい）。
【００５０】
いくつかの実施形態では、保存される情報はまた信号強度の現在の測定（例えば、ステップ５１５の判定において用いられた測定）、及び／又は現在の測定に先立つ１つ以上前の信号強度の１つ以上の測定を含んでもよい。
【００５１】
５２５に指示されるように、データ転送を完了した後に非アクティブプロトコル状態へ遷移することに応じて、ユーザ機器は第２の基地局の信号強度の追加の測定を実行し、第２の基地局は１つ以上の再選択基準を満たすかどうかを判定してもよい。１つ以上の再選択基準は、追加の測定、及び再選択タイマの保存された残りの時間の値に少なくとも基づいてもよい。いくつかの実施形態では、１つ以上の再選択基準は、保存された測定、追加の測定、及び再選択タイマの保存された残りの時間の値に基づいてもよい。
【００５２】
非アクティブプロトコル状態とは、現在転送する必要があるデータは存在しないことを指示する状態である。例えば、非アクティブプロトコル状態は、ユーザ機器の通信コントローラがページングチャネル（例えば、ＵＭＴＳページングチャネル）上に留まっている状態であってもよい。
【００５３】
５３０に指示されるように、第２の基地局は１つ以上の再選択基準を満たすと判定することに応じて、ユーザ機器は、第２の無線通信規格に従う第２の基地局を利用するデータ転送を可能にするために、第２の基地局を再選択してもよい。第２の基地局を再選択するアクションは、無線周波数受信機を第１の基地局から第２の基地局へ再同調させ、登録されたサービスの再開を実行することを含んでもよい。（ＵＥは、第２の通信規格上のセルを再選択し、次に、そのセルに関するシステム情報を読み取り、その後に、それが第１の通信規格上で登録した全てのＰＳサービス及びＣＳサービスのための更新要求をネットワークに送信してもよい。）
データが、（例えば、ユーザ機器上で実行するソフトウェアアプリケーションから）転送のために利用可能になると、ユーザ機器はデータを、第２の無線通信規格を用いる第２の基地局へ転送してもよい。
【００５４】
いくつかの実装形態では、第２の無線通信規格はＬＴＥ又は任意の優先度の高い無線アクセス技術である。
【００５５】
いくつかの実施形態では、第２の無線通信規格は、現在のネットワークよりも高い優先度を有するように構成されたフェムトセル（例えば、ＵＭＴＳフェムトセル又はＬＴＥフェムトセル又はＣＤＭＡ−ＥＶＤＯフェムトセル）に対応してもよい。
【００５６】
第２の基地局は１つ以上の再選択基準を満たせない場合があることもあり得る。（第２の基地局が基準のうちのちのいずれかを満たせない場合には、第２の基地局の再選択は無効にされてもよい。）第２の基地局は１つ以上の再選択基準を満たさないと判定することに応じて、ユーザ機器は、第２の無線通信規格に従って無線通信するように構成された別の基地局を探知するための探索手順を開始してもよい（例えば、動作５１０へ戻る）。
【００５７】
いくつかの実施形態では、１つ以上の再選択基準は、追加の測定（又は少なくとも追加の測定）は電力閾値、例えば、再選択タイマの始動を決定するために動作５１５において用いられる閾値と同じか又はそれに近い閾値、よりも大きいという基準を含んでもよい。
【００５８】
いくつかの実施形態では、１つ以上の再選択基準は、追加の測定と１つ以上の保存された測定（すなわち、動作５２０の保存された情報内に含まれている測定）は電力閾値よりも大きいという基準を含んでもよい。
【００５９】
いくつかの実施形態では、１つ以上の再選択基準は、追加の測定と１つ以上の保存された測定（すなわち、動作５２０の保存された情報内に含まれている測定）の平均は電力閾値よりも大きいという基準を含んでもよい。
【００６０】
いくつかの実施形態では、１つ以上の再選択基準は、Ｓｒｘｌｅｖ（３ＧＰＰ規格３６．１３３及び２５．３０４で定義）はＴｈｒｅｓｈｘ＿ｈｉｇｈ（３ＧＰＰ規格３６．１３３で定義）よりも大きいという基準を含んでもよい。値Ｔｈｒｅｓｈｘ＿ｈｉｇｈはネットワークによって構成される。Ｓｒｖｌｅｖは再選択のためのセルの適切性の程度の尺度である。
【００６１】
いくつかの実施形態では、１つ以上の再選択基準は、上述のデータ転送の測定された所要時間は、保存された残りの時間の値以上になるという基準を含んでもよい。（この所要時間の測定及びその他の計時機能を容易にするために、ＵＥは専用のクロック及び計時回路機構を含んでもよい。データ転送の所要時間は、例えば、データ転送の前及び後のクロックの値を保存し、その後、２つの値の差を計算することによって求められてもよい。）測定されたデータ転送所要時間はしばしば、保存された残りの時間の値よりも大きくなる。
【００６２】
測定されたデータ転送所要時間が、保存された残りの時間の値よりも小さい場合には、ＵＥは第２の基地局の再選択を中止してもよい。１つの代替実施形態では、測定されたデータ転送所要時間が、保存された残りの時間の値よりも小さい場合には、ＵＥは、保存された残りの時間の値から、測定されたデータ転送所要時間を減じて結果値を得て、その結果値を用いて再選択タイマを再始動してもよい。その後、ＵＥは、第２の基地局を再選択する前に再選択タイマが切れるまで待機してもよい。
【００６３】
ＵＭＴＳからＬＴＥの再選択のための機構
いくつかの実装形態では、ユーザ機器（ＵＥ）は以下のようにＵＭＴＳからＬＴＥを再選択してもよい。これらの実装形態のうちのいずれも上述の特徴、要素及び実施形態の任意のサブセットを含んでもよい。
【００６４】
（１）ＵＥはＰＣＨ内にあり、再選択基準を満足する強いＬＴＥセルを発見し、Ｔ＿ｒｅｓｅｌｅｃｔｉｏｎがバックグラウンドで走っている。再選択基準は、例えば、３ＧＰＰ規格２５．３０４及び３６．１３３において指定された再選択基準を含んでもよい。
【００６５】
（２）ＵＥが、データを送信するか又はＵＭＴＳにおけるデータのための無線ベアラ（ＲＢ）設定を受信する必要がある時、ＵＥは、（ａ）ＬＴＥセルに関して行われた以前の測定結果（若しくは結果群）、並びに（ｂ）Ｔ  ｒｅｓｅｌｅｃｔｉｏｎタイマの現在の値を保存してもよい。
【００６６】
更に、ＵＥは必要なパケット交換手順及び／又はデータ手順をＵＭＴＳ上で実行する。例えば、パケット交換手順は、ルーティングエリア更新メッセージを送信すること及び／又はデータ転送のためのサービス要求を送信することを含んでもよいであろう。
【００６７】
（３）その後、ＵＥが（Ｗセル上の）ＰＣＨへ帰ると、ＵＥは、以前に測定したＬＴＥセルに関する測定を行い、再選択基準を評価し、ＬＴＥセルが再選択基準を満足する場合には、直ちにＬＴＥセルのセル再選択を実行する。（用語「Ｗセル」は、基地局によって管制される３つ以上のセクタのうちの１つに対応するプライマリスクランブリングコードを意味し、「ＵＭＴＳセル」の同義語として用いられる。）
（４）ＵＥが、以前に測定されたＬＴＥセルは再選択基準に不合格であると判定した場合には、このとき、ＵＥはＬＴＥ探知探索をトリガする。いくつかの実施形態では、ＬＴＥ探知探索は、３ＧＰＰ規格３６．１３３に準拠したＬＴＥ探知探索であってもよい。
【００６８】
図６：ＵＭＴＳからＬＴＥのセル再選択の図表例
図６は、ＵＭＴＳからＬＴＥのセル再選択のための上述の方法の図表例を示す。ＵＥは、最初に、ＵＭＴＳセル上にキャンプしていると仮定される。ＵＭＴＳセルは「セルＡ」又は「ＵＭＴＳセルＡ」と呼ばれる。
【００６９】
６１０では、ＵＥはＵＭＴＳ−ＰＣＨ状態にある。
【００７０】
６１１では、ＵＥは、例えば、上述したように、ＬＴＥ探知探索を実行する。ＬＴＥ探知探索の結果、ＬＴＥセルが探知される。ＬＴＥセルは、それをＵＭＴＳセルＡと区別するために、「セルＢ」又は「ＬＴＥセルＢ」と呼ばれる。
【００７１】
６１２では、ＵＥはＬＴＥセルＢの信号強度（例えば、ＲＳＲＰ）の第１の測定を行う。ＬＴＥセルＢのＲＳＲＰは、ＬＴＥセルＢの再選択を検討するには小さすぎる、すなわち、所定の閾値よりも小さいと想定する。
【００７２】
時間の経過後、例えば、ある数のＤＲＸサイクルの後に、ＵＥはＬＴＥセルＢの信号強度の第２の測定６１３を行う。第２の測定は、再選択を検討するために十分大きい（すなわち、所定の閾値よりも大きい）と判定することに応じて、ＵＥはＬＴＥセルＢのためのＴ＿ｒｅｓｅｌｅｃｔｉｏｎタイマ６１４を始動する。
【００７３】
６１５では、伝送する必要があるデータが（例えば、ＵＥ上で実行するソフトウェアアプリケーションから）到来し、そのため、Ｔ＿ｒｅｓｅｌｅｃｔｉｏｎタイマの現在の値がメモリ内に保存され、ＵＥは、ＵＭＴＳ規格に従ってデータを伝送するために、ＤＣＨチャネルへ移動する。ＵＥがデータの伝送を完了すると、ＵＥはＵＭＴＳ−ＰＣＨ状態６１６へ戻る。（データ転送の前にタイマ値が保存され、転送が完了した後に現在の時間が再チェックされるため、Ｔ＿ｒｅｓｅｌｅｃｔｉｏｎタイマは、データ転送の最中に間接的な意味で走り続けていると解釈されてもよい。差が計算され、必要とされるＴ＿ｒｅｓｅｌｅｃｔｉｏｎ時間に加算されてもよい。）
ＵＭＴＳ−ＰＣＨ状態に入ることに応じて、ＵＥは、ＬＴＥセルＢのＰＣＩに関するＬＴＥ再取得探索６１７を開始してもよい。（ＰＣＩは物理セルインジケータの略語である。）再取得探索は、再選択基準が満たされるまでＬＴＥセルＢのＰＣＩに関する１つ以上の測定（測定６１７Ｍなど）を行うこと、及び例えば、ＵＭＴＳが必要とするタイマのうちのいずれも走らせずに、ＬＴＥセルＢを直ちに再選択することを含む。６１８に再選択ステップが示される。
【００７４】
本明細書に記載されている種々の実施形態のうちのいずれも、種々の形態のうちのいずれかで実現されてもよく、例えば、コンピュータにより実行される方法として、コンピュータ可読メモリ媒体として、コンピュータシステムとして、又はシステムとして実現されてもよい。システムは、ＡＳＩＣなどの１つ以上の特別設計されたハードウェアデバイスによって、ＦＰＧＡなどの１つ以上のプログラム可能なハードウェア要素によって、記憶されたプログラム命令を実行する１つ以上のプロセッサによって、又は上述のものの任意の組み合わせによって実現されてもよい。
【００７５】
いくつかの実施形態では、永続的コンピュータ可読メモリ媒体は、プログラム命令及び／又はデータを記憶するように構成されてもよく、プログラム命令は、コンピュータシステムによって実行されると、コンピュータシステムに、本方法を、例えば、本明細書に記載された方法の実施形態のうちのいずれか、又は、本明細書に記載された方法の実施形態の任意の組合せ、又は、本明細書に記載された方法の実施形態のうちのいずれかの任意のサブセット、又は、そのようなサブセットの任意の組合せを実行させる。
【００７６】
いくつかの実施形態では、コンピュータシステム７００は、例えば、図７に示されるように、プロセッサ（又はプロセッサのセット）７１０及びメモリ７１５を含むように構成されてもよい。メモリはプログラム命令を記憶する。プロセッサは、メモリからプログラム命令を読み込んで実行するように構成される。プログラム命令は、本明細書に記載されている種々の方法の実施形態のうちのいずれか（又は本明細書に記載されている方法の実施形態の任意の組み合わせ、又は本明細書に記載されている方法の実施形態のうちのうちのいずれかの任意のサブセット、又はこのようなサブセットの任意の組み合わせ）を実施するために実行可能である。コンピュータシステムは、種々の形態のうちのいずれかで実現され得る。例えば、コンピュータシステムは、パーソナルコンピュータ（その種々の具体例のうちのいずれか）、ワークステーション、カード上のコンピュータ、ボックス中の特定用途向けコンピュータ、サーバコンピュータ、クライアントコンピュータ、ハンドヘルドデバイス、タブレットコンピュータ、携帯電話、携帯情報端末、メディアプレーヤ、ウェアラブルコンピュータなどであり得る。
【００７７】
コンピュータシステム７００はまたアンテナサブシステム７２２を含んでもよい。アンテナサブシステム７２２は、例えば、以上にさまざまに説明されているように、無線通信信号を伝送及び受信するように構成される、１つ以上のアンテナを含む。コンピュータシステム７００はまた、ディスプレイ（例えば、タッチ感知ディスプレイ）を含むユーザインタフェース７１５を含んでもよい。ユーザインタフェース７１５はまた、１つ以上のボタン、１つ以上のマイクロフォン、１つ以上のスピーカ、１つ以上の加速度計等などの１つ以上のインタフェース機器を含んでもよい。
【００７８】
上述の実施形態はかなり詳細に説明されているが、上述の開示が完全に理解されれば、当業者には数多くの変形及び変更が明らかになるであろう。添付の請求項はこのような変形及び変更を全て包含するように解釈されることが意図されている。
【図１】
0005963965.tif 000002
【図２】
0005963965.tif 000003
【図３】
0005963965.tif 000004
【図４】
0005963965.tif 000005
【図５】
0005963965.tif 000006
【図６】
0005963965.tif 000007
【図７】
0005963965.tif 000008